(57)【特許請求の範囲】
【請求項１】
ヘッド本体のソール部に、突出方向先端に開口部が形成された凸部をヘッド本体のフェース部側からバッグ部側に亘って突設し、当該凸部内に、ソール部より比重の大きいウエイトを装着すると共に、当該ウエイトを、上記開口部に凸部と面一に露出させたことを特徴とするゴルフクラブヘッド。
【発明の詳細な説明】
【０００１】
【発明の属する技術分野】
本発明は、ゴルフクラブヘッドに係り、詳しくは低重心化を図り、良好な振抜きを可能として飛距離の向上を図ったゴルフクラブヘッドに関する。
【０００２】
【従来の技術】
図３乃至図６に示すように、従来、ゴルフクラブヘッド１のソール部３に凸部（突条部）５を振抜き方向に沿って設けることにより、ソール部３の地面に対する滑りを良くして良好な振抜きを可能とすると共に、凸部５をヘッド本体７より比重の大きな金属材料で成形して低重心化を図ることで、ボールの飛距離の向上を図ったゴルフクラブヘッド１が特開平７−３１３６３６号公報に開示されている。
【０００３】
而して、上記ゴルフクラブヘッド１は、チタンで成形されたヘッド本体７とそのソール側に取り付くソールプレート９、そして、当該ソールプレート９に装着された凸部５とからなり、図４乃至図６に示すようにソールプレート９の前後方向に沿って設けた複数の溝部１１に、凸部５となるベリリウムカッパー製の部材１３を内側から外側に向けて圧入した後、当該部材１３を上下方向から加圧し塑性変形させて凸部５がソールプレート９に固着されており、ソールプレート９はこの後、ヘッド本体７に溶接等によって固着される。
【０００４】
【発明が解決しようとする課題】
然し乍ら、上記ゴルフクラブヘッド１にあっては、図３及び図６に示すようにソールプレート９と別体に成形した凸部５がソール部３から下方に突出した構造であるため、打球時に地面からの衝撃を凸部５が直接受けることとなり、長期に亘る使用によって当該凸部５ががたつき、遂には破損してソールプレート９から凸部５が欠落してしまう虞が指摘されていた。
【０００５】
本発明は斯かる実情に鑑み案出されたもので、上述の如き欠点を解消し、長期に亘ってヘッド本体の低重心化を維持しつつ、良好な振抜きを可能としたゴルフクラブヘッドを提供することを目的とする。
【０００６】
【課題を解決するための手段】
斯かる目的を達成するため、請求項１に係るゴルフクラブヘッドは、ヘッド本体のソール部に、突出方向先端に開口部が形成された凸部をヘッド本体のフェース部側からバッグ部側に亘って突設し、当該凸部内に、ソール部より比重の大きいウエイトを装着すると共に、当該ウエイトを、上記開口部に凸部と面一に露出させたことを特徴とする。
【０００７】
（作用）
請求項１に係るゴルフクラブヘッドを装着したゴルフクラブでボールを打球すると、凸部がソール部の地面に対する滑りを良くして良好な振抜きを可能とし、また、ウエイトによって低重心化が図られ、ボールが高く上がり飛距離が確保される。
そして、ウエイトが凸部の孔から露出してプレーヤーにウエイトが装着されている旨を認識させるが、凸部がウエイトを保持するため、打球時の衝撃による凸部の破損が防止され、また、ウエイトの脱落が防止される。
更に、凸部の先端開口部に当該凸部と面一に露出するようにウエイトを装着することで、ゴルフクラブヘッドが確実に低重心化する。
【０００８】
【発明の実施の形態】
以下、本発明の実施形態を図面に基づき詳細に説明する。
【０００９】
図１及び図２は請求項１に係る発明をウッドのゴルフクラブヘッドに適用した一実施形態を示し、図中、３５はステンレスやチタン，アルミニウム，マグネシウム合金等の金属材料で成形されたヘッド本体で、図２に示すようにヘッド本体３５は、ホーゼル部３７とバック部３９，トップ部４１，フェース部４３が一体成形されてソール側が開口している。
そして、当該ソール側にヘッド本体３５と同一材料からなる薄肉なソールプレート４５を溶接して、本実施形態に係るゴルフクラブヘッド４７が形成されている。
【００１０】
図示するように薄肉に成形されたソールプレート４５には、下方に向けて先細りとなる２つの断面略逆ハ字状の凸部４９，５１が、ヘッド本体３５のフェース部４３側からバック部３９側に亘ってソールプレート４５と一体に下方へ屈曲して平行に突設されており、凸部４９，５１は、夫々、ヘッド本体３５の内部に開口している。
そして、凸部４９，５１の外形と一致させて凹状に成形した凸部４９，５１内に、後述するウエイト５５が装着されており、斯様に凸部４９，５１をゴルフクラブヘッド４７のソール部５３を構成するソールプレート４５に設けることで、接地面積を減らしてソール部５３の地面に対する滑りを良くし、且つ振抜き方向を案内して打球時にヘッドがぶれることのない良好な振抜きを可能としている。
【００１１】
尚、上記凸部４９，５１は、板材を打ち抜いてソールプレート４５を成形する際に、同時に成形される。
そして、上記凸部４９，５１内に、夫々、ヘッド本体１５より比重の大きなタングステンや真鍮等の金属材料で成形されたウエイト５５が圧着されてゴルフクラブヘッド４７の低重心化が図られているが、凸部４９，５１の突出側先端には、夫々、ヘッド本体３５のフェース部４３側からバック部３９側に亘って孔（開口部）５７が設けられており、ソールプレート４５をヘッド本体３５に溶接するに当たり、図１の二点鎖線で示すように、凸部４９，５１の内形形状と略同一形状からなるウエイト５５を凸部４９，５１内に配し加圧して塑性変形させることで、ウエイト５５の圧入方向先端側が孔５７に係合してその脱落が防止され、また、ウエイト５５が孔５７から凸部４９，５１の先端と面一に露出するように凸部４９，５１内に装着されることで、従来のゴルフクラブヘッドに比し更にゴルフクラブヘッド４７の低重心化が図られるようになっている。
【００１２】
本実施形態はこのように構成されているから、ゴルフクラブヘッド４７を装着したゴルフクラブでボールを打球すると、凸部４９，５１がソール部５３の地面に対する滑りを良くして良好な振抜きを可能とし、また、ウエイト５５によってゴルフクラブヘッド４７の低重心化が図られて、ボールが高く上がり飛距離が確保されることとなる。
【００１３】
そして、ウエイト５５は凸部４９，５１の孔５７から部分的に露出するものの、凸部４９，５１がウエイト５５を保持し、而も、凸部４９，５１自体がソールプレート４５に設けられているため、図３に示す従来例に比し打球時の衝撃で凸部２９，３１が破損する虞がなく、また、ウエイト５５が外れることがない。
従って、本実施形態によれば、斯様に打球時の衝撃で凸部２９，３１が破損する虞がなく、また、ウエイト５５が外れる虞がないため、長期に亘って良好な振抜きが可能になると共に、ウエイト５５を孔５７から面一に露出するように当該凸部４９，５１内に装着したので、従来のゴルフクラブヘッドに比し、更に低重心化が可能となる。
【００１４】
尚、本発明はウッドのゴルフクラブヘッドに限定されるものではなく、アイアンのゴルフクラブヘッドにも適用できることは勿論である。
【００１５】
【発明の効果】
以上述べたように、請求項１に係る発明によれば、ヘッド本体のフェース部側からバッグ部側に亘って凸部を設けたため、良好な振抜きが可能になる。
そして、打球時の衝撃で凸部が破損する虞がなく、また、ウエイトが外れる虞がないため、長期に亘って良好な振抜きが可能になると共に、ウエイトを開口部から面一に露出するように凸部内に装着した結果、従来のゴルフクラブヘッドに比し更に低重心化が可能となる。
【図面の簡単な説明】
【図１】  請求項１の一実施形態に係るゴルフクラブヘッドの断面正面図である。
【図２】  図１のゴルフクラブヘッドの断面側面図である。
【図３】  従来のゴルフクラブヘッドのソール部側斜視図である。
【図４】  図３に示すゴルフクラブヘッドの断面図である。
【図５】  凸部の成形方法を示すソールプレートの要部断面図である。
【図６】  成形された凸部を示すソールプレートの要部断面図である。
【符号の説明】
３５  ヘッド本体
４５  ソールプレート
４７  ゴルフクラブヘッド
４９，５１  凸部
５３  ソール部
５５  ウエイト
５７  孔
【図１】
0003950210.tif 000002
【図２】
0003950210.tif 000003
【図３】
0003950210.tif 000004
【図４】
0003950210.tif 000005
【図５】
0003950210.tif 000006
【図６】
0003950210.tif 000007